(57)【要約】      （修正有）【課題】利用者に応じて高さを調節することができるとともに、昇降テーブルの準備作業や片付け作業を効率的に行うことのできる安価な昇降テーブルを提供する。【解決手段】一対の脚部１２ａ、１２ｂと、一対の脚部１２ａ、１２ｂを連結するフレーム１４と、フレーム１４の上部に配設され、独立に高さを調節可能な３枚又は４枚の天板１６ａ〜１６ｄと、フレーム１４に昇降自在に装着され、各天板１６ａ〜１６ｄを支持する複数のスライドパイプ２６ｂ，２６ｄ，２６ｇ，２６ｈと、フレーム１４に対するスライドパイプ２６ｂ，２６ｄ，２６ｇ，２６ｈの昇降位置を固定する固定機構３８ｃ，３８ｄと、天板１６ａ〜１６ｄとフレーム１４との間に配設され、弾発力により天板１６ａ〜１６ｄの昇降動作をアシストする弾発機構と、を備える。【選択図】図１
2014217740.tif 000002
【特許請求の範囲】
【請求項１】
一対の脚部と、
前記一対の脚部を連結するフレームと、
前記フレームの上部に配設され、独立に高さを調節可能な３枚又は４枚の天板と、
前記フレームに昇降自在に装着され、前記各天板を支持する複数のスライドパイプと、
前記フレームに対する前記スライドパイプの昇降位置を固定する固定機構と、
前記天板と前記フレームとの間に配設され、弾発力により前記天板の昇降動作をアシストする弾発機構と、
を備えることを特徴とする昇降テーブル。
【発明の詳細な説明】
【技術分野】
【０００１】
本発明は、天板の高さを調節することのできる昇降テーブルに関する。
【背景技術】
【０００２】
例えば、福祉施設、介護施設等においては、車椅子を使用する利用者や、様々な体格の利用者がいるため、食事や作業に使用するテーブルの高さを利用者に合わせる必要がある。従来、このような要望に対応するため、利用者毎に高さの異なるテーブルを提供していた。しかしながら、利用者に応じて高さの異なる複数のテーブルを提供すると、非常に費用がかかってしまう。
【０００３】
そこで、天板の高さを調節することのできる昇降テーブルが種々提案されている。例えば、特許文献１に開示されている昇降テーブルは、天板を支持する脚部に昇降機構を内蔵させ、昇降テーブルの側部に配設した操作ハンドルを回転させることにより、昇降テーブルの高さを調節可能に構成している。
【先行技術文献】
【特許文献】
【０００４】
【特許文献１】特開２００１−１２８７４２号公報
【発明の概要】
【発明が解決しようとする課題】
【０００５】
しかしながら、特許文献１に開示されている昇降テーブルは、一枚の天板を昇降可能に構成しており、一人の利用者のみを対象としたものである。多数の利用者がいる施設等では、多数の昇降テーブルが必要となるため、多大な費用がかかってしまう。また、多数の昇降テーブルを準備したり、片付けたりする作業も大変である。
【０００６】
本発明は、上記の不具合を解消するためになされたものであって、利用者に応じて高さを調節することができるとともに、昇降テーブルの準備作業や片付け作業を効率的に行うことのできる安価な昇降テーブルを提供することを目的とする。
【課題を解決するための手段】
【０００７】
本発明に係る昇降テーブルは、一対の脚部と、前記一対の脚部を連結するフレームと、前記フレームの上部に配設され、独立に高さを調節可能な３枚又は４枚の天板と、前記フレームに昇降自在に装着され、前記各天板を支持する複数のスライドパイプと、前記フレームに対する前記スライドパイプの昇降位置を固定する固定機構と、前記天板と前記フレームとの間に配設され、弾発力により前記天板の昇降動作をアシストする弾発機構と、を備えることを特徴とする。
【発明の効果】
【０００８】
本発明の昇降テーブルは、独立に高さを調節可能な３枚又は４枚の天板を有するため、体格や利用形態の異なる複数の利用者に対応して、適切な状態で使用することができる。また、複数の天板が１つの昇降テーブルに一体化されているため、昇降テーブルの準備作業や片付け作業を効率的に行うことができるとともに、部品点数を削減して安価な昇降テーブルを提供することができる。
【図面の簡単な説明】
【０００９】
【図１】本実施形態の昇降テーブルの斜視図である。
【図２】本実施形態の昇降テーブルの正面図である。
【図３】本実施形態の昇降テーブルの側面図である。
【発明を実施するための形態】
【００１０】
以下、本発明の実施形態について図面を参照して説明する。
【００１１】
図１は本実施形態の昇降テーブル１０の斜視図、図２は本実施形態の昇降テーブル１０の正面図、図３は本実施形態の昇降テーブル１０の側面図である。
【００１２】
昇降テーブル１０は、左右に離間して配置される一対の脚部１２ａ、１２ｂと、脚部１２ａ、１２ｂの上端部間を連結するフレーム１４と、フレーム１４の上部に配設され、独立に高さを調整可能な４枚の天板１６ａ〜１６ｄとを備える。
【００１３】
脚部１２ａ、１２ｂは、フレーム１４と直交し、水平方向に延在する支持板１８ａ、１８ｂと、支持板１８ａ、１８ｂの下部両端部に配設されるキャスタ２０ａ〜２０ｄと、支持板１８ａ、１８ｂの上部に立設される支柱２２ａ、２２ｂとから構成される。キャスタ２０ａ〜２０ｄには、図３に示すように、キャスタ２０ａ〜２０ｄの回転を阻止して昇降テーブル１０を固定するためのロック機構２４ａ〜２４ｄが配設される。
【００１４】
天板１６ａ〜１６ｄは、長方形状に形成される。各天板１６ａ〜１６ｄの下面部であって、フレーム１４の延在方向に隣接する２つのコーナ部近傍には、リブ２５ａ〜２５ｈによって補強されたスライドパイプ２６ａ〜２６ｈの上端部が固定される。天板１６ａ〜１６ｄは、スライドパイプ２６ａ〜２６ｈによってフレーム１４に支持される。スライドパイプ２６ａ〜２６ｈは、鉛直下方向に延在し、フレーム１４及び脚部１２ａ、１２ｂに昇降自在に装着される。スライドパイプ２６ａ、２６ｂ、２６ｇ、２６ｈは、脚部１２ａ、１２ｂを構成する支柱２２ａ、２２ｂに挿入される。また、スライドパイプ２６ｃ、２６ｄ、２６ｅ、２６ｆは、フレーム１４に挿入される。なお、フレーム１４の中央部分の下部には、フレーム１４から下方向に突出するスライドパイプ２６ｃ、２６ｄ、２６ｅ、２６ｆを収容するため、カバー２８が装着される。
【００１５】
天板１６ａ〜１６ｄとフレーム１４との間であって、スライドパイプ２６ａ、２６ｃ間、スライドパイプ２６ｂ、２６ｄ間、スライドパイプ２６ｅ、２６ｇ間、及び、スライドパイプ２６ｆ、２６ｈ間には、弾発力により各天板１６ａ〜１６ｄの昇降動作をアシストする弾発機構であるガススプリング３０ａ〜３０ｄが配設される。ガススプリング３０ａ〜３０ｄは、シリンダチューブ３２ａ〜３２ｄとピストンロッド３４ａ〜３４ｄとから構成される。シリンダチューブ３２ａ〜３２ｄの上端部は、天板１６ａ〜１６ｄの下面部に固定され、下端部がフレーム１４にスライド可能に挿入される。また、ピストンロッド３４ａ〜３４ｄの下端部は、フレーム１４に固定される。シリンダチューブ３２ａ〜３２ｄの内部には、例えば、圧縮ガスが封入される。
【００１６】
スライドパイプ２６ａ〜２６ｈには、フレーム１４に対するスライドパイプ２６ａ〜２６ｈの昇降位置を固定する固定機構を構成する締結部材３５ａ〜３５ｈが装着される。スライドパイプ２６ａ、２６ｃに装着される締結部材３５ａ、３５ｃ、スライドパイプ２６ｂ、２６ｄに装着される締結部材３５ｂ、３５ｄ、スライドパイプ２６ｅ、２６ｇに装着される締結部材３５ｅ、３５ｇ、及び、スライドパイプ２６ｆ、２６ｈに装着される締結部材３５ｆ、３５ｈには、シャフト３６ａ〜３６ｄがそれぞれ連結される。各シャフト３６ａ〜３６ｄの端部には、脚部１２ａ、１２ｂを構成する支柱２２ａ、２２ｂの側部に配設されるカムレバー３８ａ〜３８ｄが連結される。カムレバー３８ａ〜３８ｄは、回転軸４０ａ〜４０ｄに偏心した状態で装着される。カムレバー３８ａ〜３８ｄを回転軸４０ａ〜４０ｄに対して回転させ、シャフト３６ａ〜３６ｄをフレーム１４に沿って移動させることにより、シャフト３６ａ〜３６ｄに連結されている締結部材３５ａ〜３５ｈを変形させ、スライドパイプ２６ａ〜２６ｈをフレーム１４及び支柱２２ａ、２２ｂに固定し、又は、その固定を解除することができる。
【００１７】
次に、昇降テーブル１０の作用効果について説明する。
【００１８】
昇降テーブル１０の高さ調節を行う場合、所望の天板１６ａ〜１６ｄの側部に配設されたカムレバー３８ａ〜３８ｄを、図２に示す位置から矢印方向に略９０°回転させると、回転軸４０ａ〜４０ｄに対して偏心しているカムレバー３８ａ〜３８ｄがシャフト３６ａ〜３６ｄから離間する方向に移動するため、シャフト３６ａ〜３６ｄが支柱２２ａ、２２ｂ側に移動可能な状態となる。この結果、シャフト３６ａ〜３６ｄに連結されている締結部材３５ａ〜３５ｈによるスライドパイプ２６ａ〜２６ｈの固定状態が解除される。
【００１９】
スライドパイプ２６ａ〜２６ｈの固定状態が解除されると、ガススプリング３０ａ〜３０ｄの作用により、天板１６ａ〜１６ｄが上方向に移動可能な状態となる。そこで、利用者は、天板１６ａ〜１６ｄを所望の高さに調節することができる。この場合、天板１６ａ〜１６ｄの上方向への移動は、ガススプリング３０ａ〜３０ｄによる上方向への弾発力によってアシストされるため、容易に高さを調節することができる。また、天板１６ａ〜１６ｄの下方向への移動は、天板１６ａ〜１６ｄの自重の一部が、ガススプリング３０ａ〜３０ｄの上方向への弾発力によって相殺されるため、容易に高さを調節することができる。
【００２０】
天板１６ａ〜１６ｄを所望の高さに調節した後、カムレバー３８ａ〜３８ｄを略９０°回転させ、図２に示す状態に設定することにより、回転軸４０ａ〜４０ｄに対して偏心しているカムレバー３８ａ〜３８ｄによってシャフト３６ａ〜３６ｄが押圧される。この結果、スライドパイプ２６ａ〜２６ｈが締結部材３５ａ〜３５ｈによりフレーム１４及び脚部１２ａ、１２ｂに固定され、天板１６ａ〜１６ｄの位置が固定される。
【００２１】
以上のようにして各天板１６ａ〜１６ｄの高さを個々に調節することにより、体格や利用形態の異なる最大４名の利用者が１台の昇降テーブル１０を利用することができる。また、昇降テーブル１０は、独立に高さ調節が可能な４枚の天板１６ａ〜１６ｄを備えているため、１枚の天板のみを備える従来の昇降テーブルと比較すると、昇降テーブル１０を準備する作業や、利用後に昇降テーブル１０を片付ける作業を効率的に行うことができる。さらに、４台の昇降テーブルを一体化し、４枚の天板１６ａ〜１６ｄを有する１台の昇降テーブル１０として構成しているため、部品点数が削減されて軽量化され、搬送時の作業性も向上する。さらにまた、部品点数が削減されることにより、安価な昇降テーブル１０を提供することができる。
【００２２】
なお、上述した実施形態では、４枚の天板１６ａ〜１６ｄを有する昇降テーブル１０として構成しているが、例えば、隣接する天板１６ａ及び１６ｂを一体化し、３枚の天板から構成される昇降テーブルとすることもできる。また、弾発機構として、ガススプリング３０ａ〜３０ｄに代えて、コイルスプリングのような弾性部材を用いることもできる。また、天板１６ａ〜１６ｄの材料としては、木材、樹脂、金属等、用途に応じて任意のものを選択することができる。
【符号の説明】
【００２３】
１０…昇降テーブル
１２ａ、１２ｂ…脚部
１４…フレーム
１６ａ〜１６ｄ…天板
１８ａ、１８ｂ…支持板
２０ａ〜２０ｄ…キャスタ
２２ａ、２２ｂ…支柱
２４ａ〜２４ｄ…ロック機構
２５ａ〜２５ｈ…リブ
２６ａ〜２６ｈ…スライドパイプ
２８…カバー
３０ａ〜３０ｄ…ガススプリング
３２ａ〜３２ｄ…シリンダチューブ
３４ａ〜３４ｄ…ピストンロッド
３５ａ〜３５ｈ…締結部材
３６ａ〜３６ｄ…シャフト
３８ａ〜３８ｄ…カムレバー
【図１】
2014217740.tif 000003
【図２】
2014217740.tif 000004
【図３】
2014217740.tif 000005